(57)【要約】【課題】この考案は、紙、プラスチックシート及びこれらの複合シートよりなる各種の宣伝及び広告用シートを即座に挟み込み又は、取り替えを迅速且つ簡単に行ない得るシート状物保持杆体を提供する。【解決手段】後方部において屈曲可能に設けられ、且つ前方部で直状長手方向に開口し得るように設けられた硬質プラスチックよりなる一対の長手状杆体と、前方開口の弾発材料からなる一又は複数箇の締付片とからなる特徴とするシート状物保持杆体。【選択図】図１
0003124381.tif 000002
【実用新案登録請求の範囲】
【請求項１】
後方部において屈曲可能に設けられ、且つ前方部で直状長手方向に開口し得るように設けられた硬質プラスチックよりなる一対の長手状杆体と、前方開口の弾発材料からなる一又は複数箇の締付片とからなる特徴とするシート状物保持杆体
【請求項２】
長手状杆体は、その開口部上方部に沿って一定範囲にわたっては軟質プラスチックにより一体成形してなるシート把持部とした請求項１記載のシート状物保持杆体
【請求項３】
長手状杆体は、その下部に差し込みアンダーキャップを、更にその上部にはヘッドキャプを嵌合してなる請求項１又は請求項２記載のシート状物保持杆体
【請求項４】
長手状杆体を構成する一対の長手状杆体の後方部は略半円形状である請求項１、請求項２又は請求項３記載のシート状物保持杆体
【請求項５】
長手状杆体を構成する長手状杆体はその断面は略矩形状である請求項１、請求項２又は請求項３記載のシート状物保持杆体
【考案の詳細な説明】
【考案の詳細な説明】
【技術分野】
【０００１】この考案は、紙、プラスチックシート及びこれらの複合シートよりなる各種の宣伝及び広告用シートを即座に挟み込み又は、取り替えを自在とするシート状物保持杆体に関する。
【技術の背景】
【０００２】通常、電車内の吊り広告、パチンコ台の上部に設置した広告旗及び各種のショーウンドーに広告具を設置することは行われている。その際、広告シートを広告具に挟み込む手段として複数箇所に設けられたクリップにて広告シートを挟着してシートを固定している。（例えば、特許文献１）
又、予め、旗の上辺と旗の片側に予め形成した掛止挿通片に、横棧と支柱とをそれぞれ挿通するものがある。（例えば、特許文献２）
【０００３】
【特許文献】実用新案出願公開平３−５４９８０号
【特許文献】実用新案登録第３０００９７０号
【考案の開示】
【考案が解決しようとする課題】
【０００４】この考案が解決しようとする課題は、例えば、実用新案出願公開平３−５４９８０号のように広告用シートを複数箇所に設けられたクリップにて固定する場合、広告用シートの両端部を個々にクリップ止めをする等の作業が必要となる。【０００５】又、実用新案登録第３０００９７０号のように旗の上辺、及び側片にそれぞれ柱通し陽の輪環片をそれぞれ複数箇所にわたって取り付ける作業も極めて煩瑣である。
【課題を解決するための手段】
【０００６】上記の問題を解決すべく、この考案では、後方部において屈曲可能に設けられ、且つ前方部で直状長手方向に開口し得るように設けられた硬質プラスチックよりなる一対の長手状杆体と、前方開口の弾発材料からなる一又は複数箇の締付片とからなる。【０００７】長手状杆体は、その開口部上方部に沿って一定範囲にわたっては軟質プラスチックにより一体成形してなるシート把持部とした。【０００８】長手状杆体は、その下部に差し込みキャップを、更にその上部にはヘッドキャプを取り付けてなる。【０００９】長手状杆体を構成する長手状杆体はその断面は略矩形状である。
【考案の効果】
【００１０】この考案は、したがって、この考案は、広告陽シートの種類を問わずに即座に強固に固定杆体にセットして随時に杆体をスタンドに簡単に差し込むことのできる広告用シート又は一定の目印とすることができるシート状物保持杆体としたものである。
【考案を実施するための最良の形態】
【００１１】この考案は、後方部において屈曲可能に設けられ、且つ前方部で直状長手方向開口し得るように設けられた硬質プラスチックよりなる一対の長手状杆体と、前方開口の弾発材料からなる一又は複数箇の締付片とからなるシート状物保持杆体としたものである。
【実施例】
【００１２】以下、実施例図、図１〜図４を参考にして説明する。
一対の半円形状の一対の長手状杆体１、１によりなり、後方部２において屈曲可能に設けられた且つ、前方部で直状の開口部３において開口し得るように設けられている。後方部には二軸成形方式により軟質樹脂薄層４を形成することによってヒンジ効果を与えるようにして随時に前記の前方部で直状の開口部３が開口するようにしてある。したがって、前記軟質樹脂薄層４に代えて、他のヒンジとすることもできる。【００１３】開口部３を内方に曲折部５、５を形成し、該曲折部５、５の外層部に粘性を有する軟質樹脂薄層４を形成させてある。それぞれが半円形状の一対の長手状杆体１、１であるから、図３に示すように、その前方開口部３内に広告用シート６を差し入れて、半円形状の長手状杆体１、１の前方部を閉口すると全体がほぼ円筒状杆体７となり、同時に、図４に示すように前記広告用シート６がその開口部３に挟着するようになる。【００１４】前記円筒状杆体７とは別体であって、全体がΩ形状の弾発材料からなる一又は複数箇の締付片８が形成される。付片８を、図３の矢印方向に、その前方開口部９を、全体がほぼ円筒状杆体７の後方より押圧すれば締付片８の前方部がその弾発力に抗して広がり、やがて締付片８が円筒状杆体６の後方に圧力的に抱着して円筒状杆体７の後方部に固定されると共に、円筒状杆体６の開口部に挟着された広告用シート６は強力に把持され、曲折部５、５の外層部に形成された軟質樹脂薄層４によって強力に把持されることになる。【００１５】図２のイ及び図２の口に示すように、全体がほぼ円筒状杆体６の下部には、差し込みアンダーキャップ１０が嵌合してあると共に円筒状杆体６の頂部にはアッパーキャップ１１がそれぞれ装着されている。【００１６】そのて、図２のイの状態にある全体がほぼ円筒状杆体７の前方部３が開口している状態で、直状の開口部３に広告用シート６を差し入れてそれぞれ矢印方向に押圧して、図２のロに示すようにアンダーキャップ１０及びアッパーキャップ１１を装着することによって広告用シート６はかなりの程度に保持することができる。更に、保持を確実にすべく円筒状杆体７の後方部より締付片８を抱着させることにより強力に広告用シート６を固定することができる。【００１７】特に、アンダーキャップ１１は、すでに予め装着された取付孔１２に適合して差し込み得るように通常先細の外径として形成されている。【００１８】上述の実施例では、半円形状の長手状杆体の前方部を閉口すると全体がほぼ円筒状杆体７のものを例示したが、図５に示すものは、長手状杆体２１の全体の断面形状が矩形状のものを例示した。この場合でも、その後方部が屈曲自在のヒンジ部２２を形成してあると共に、前方開口部２３を内側に曲折した把持部２４を形成し、且つ把持部２４の外面には軟質樹脂層２５を形成してある。広告用シート６を挟着した後に、長手状杆体２１の後方部より締付片２６を押圧すれば、長手状杆体２１の所定箇所設けた凹溝部２７に締付片２６の凸部２８が嵌まり込むことによって広告用シート６の強力な把持が可能となる。
【産業上の利用の可能性】
【００１９】この考案は、上記のような構成としてあるので、広告用シートを極めて迅速にの着脱しえる。広告シートの取り替えが安価に確実に実施得る。しかも、従来の取付孔に適合するように  差し込みキャップの下部を形成することによって従来の取付け孔をそのまま利用することができる等々、広告が氾濫する社会にあって、広告用シートを強固に取り付けることができ、しかもその脱着を迅速に行ない得るので、広告産業を活性化することができ、又、硬質樹脂よりなる円筒状杆体と、後方部及び前方部の締付環状片の外層部を軟質樹脂を  二軸成形により一回成形とすることが出来るので、非常に安価に容易に作成できる。上記のような構造としてあるので、上記のように、広告用シートを長手状保持杆に迅速に保持し得ることは当然であるが、更に、別の用途にも使用することができる。例えば、旅行ガイドの先頭を誘導するガイドさんが携帯するガイド用の旗竿とすることによって、観光地毎に簡単にシートを付け替えることができ、観光客の誘導を効果的に行える。
【図面の簡単な説明】
【００２０】
【図１】シート状物保持杆体を予め用意された取付け場所に取付けた状態の斜視図
【図２】（イ）は、保持杆体の前方部を開口させた状態の正面図、（ロ）は、保持杆体の前方部を閉口させた且つ上方のアッパーキャップと下方のアンダーキャップを装着した状態の正面図
【図３】円筒状杆体前方部を開口させ、開口部に  広告シートを差し入れた状態の一部省略拡大断面図
【図４】広告シートを円筒状杆体前方部において挟着した状態を示す図１のＡ−Ａ線の一部省略拡大断面図
【図５】広告シートを矩形状杆体前方部において挟着した状態の一部省略拡大断面図
【符号の説明】
１．．．長手状杆体
２．．．後方部
３．．．開口部３
４．．．軟質樹脂薄層
５．．．曲折部
６．．．広告用シート
７．．．円筒状杆体
８．．．締付体
９．．．前方開口部
１０．．アンダーキャップ
１１．．アッパーキャップ
１２．．取付孔
２１．．長手状杆体
２２．．ヒンジ部
２３．．前方開口部
２４．．把持部
２５．．軟質樹脂層
２６．．締付片
２７．．凹溝部
【図１】
0003124381.tif 000003
【図２】
0003124381.tif 000004
【図３】
0003124381.tif 000005
【図４】
0003124381.tif 000006
【図５】
0003124381.tif 000007